(57)【要約】  本発明は、内部（Ｉ）に複数の卵ホルダ（１０）を有する下部（１）と、ヒンジストリップ（３）を介して一体的に成形されるカバー（２）であって、少なくとも部分的に平面状のカバー壁を有するカバー（２）とを備える、プラスチック射出成形により製造された一体型の卵パック（０）であって、下部（１）に対するカバー（２）の開放可能な閉鎖姿勢が、下部の締結手段（１２）に係合するカバー締結手段（２４）と、カバー外縁部（２５）に係合する下部の外縁部（１１）とによって達成可能であり、カバー（２）の意図は、カバーを前記下部（１）に向けて再現可能な単純な態様で揺動させることである。これは、少なくとも１つの係止手段（２２）がカバー平面（Ｄ）の方向に突出するように、少なくとも１つの係止手段（２２）を少なくとも部分的に平面状のカバー壁の内面（２１）に一体的に形成し、少なくとも１つの開口中空スタブ（１０２）が卵ホルダ（１０）及び再分割平面（U）から内部（Ｉ）の外にスタブ開口外縁部（１０２０）を介して突出するように、少なくとも１つの開口中空スタブ（１０２）を下部（１）において隣接する卵ホルダ（１０）の間に一体的に形成することで達成される。これにより、カバー（２）の閉鎖姿勢において、少なくとも１つの開口中空スタブ（１０２）が内部（Ｉ）から少なくとも部分的に平面状のカバー壁のカバー内面（２１）まで突出し、スタブ開口縁部（１０２０）は、係止手段（２２）及びカバーの内面（２１）と作動可能に接続され得る。
2019527168.tif 000002
【特許請求の範囲】
【請求項１】
内部（Ｉ）に複数の卵ホルダ（１０）を有する下部（１）と、ヒンジストリップ（３）を介して一体的に成形されるカバー（２）であって、少なくとも部分的に平面状のカバー壁を有するカバー（２）とを備える、プラスチック射出成形により製造された一体型の卵パック（０）であって、
前記カバー（２）は、前記下部（１）を覆うように前記ヒンジストリップ（３）によって折り曲げ可能であるように構成され、前記下部（１）に対する前記カバー（２）の解除可能な閉鎖姿勢が、カバー締結手段（２４）の下部締結手段（１２）内への係合と、カバー縁部（２５）に係合する下部縁部（１１）とによって達成可能であり、
少なくとも１つの係止手段（２２）が、前記少なくとも部分的に平面状のカバー壁のカバー内面（２１）に成形され、前記係止手段（２２）は、カバー平面（Ｄ）の方向に突出し、少なくとも１つの開口中空スタブ（１０２）が、前記下部（１）において隣接する卵ホルダ（１０）の間に成形され、前記開口中空スタブ（１０２）は、スタブ開口縁部（１０２０）とともに前記卵ホルダ（１０）及び下部平面（Ｕ）から前記内部（Ｉ）の外へ突出し、これにより、前記カバー（２）の前記閉鎖姿勢において、前記少なくとも１つの開口中空スタブ（１０２）が、前記内部（I）から、前記少なくとも部分的に平面状のカバー壁の前記カバー内面（２１）まで突出し、
前記スタブ開口縁部（１０２０）は、前記係止手段（２２）及びカバー内面（２１）と作動可能に接続され得るとともに、前記中空スタブ（１０２）の係止の案内及び局所的固定が達成され得る、
卵パック。
【請求項２】
前記係止手段（２２）は、前記カバー内面（２１）から前記ライン平面（Ｄ）の方向に突出する少なくとも１つのセンタリング・ウェブ（２２１）を備え、前記係止手段は、前記開口中空スタブ（１０２）の前記スタブ開口縁部（１０２０）の内周に係合する、
請求項１に記載の卵パック。
【請求項３】
前記少なくとも１つのセンタリング・ウェブ（２２１）の側縁部は、面取りされるように構成される、
請求項２に記載の卵パック。
【請求項４】
前記係止手段（２２）は、２つのセンタリング・ウェブ（２２１）を備えるセンタリング・クロス（２２２）を備える、
請求項２又は３に記載の卵パック。
【請求項５】
前記卵パックの長手方向に対して横方向に配設されたセンタリング・ウェブ（２１１）の前面が、前記カバー内面（２１）に対して平行に平坦な態様で延びるように構成される、
請求項２乃至４の一項に記載の卵パック。
【請求項６】
前記卵パックの長手方向に対して横方向に配設されたセンタリング・ウェブ（２１１）の前面が、前記カバー内面から屈曲されるとともに、半円を概して描くような形状とされる、
請求項２乃至４の一項に記載の卵パック。
【請求項７】
前記卵パックの長手方向に対して横方向に配設されたセンタリング・ウェブ（２２１）の前面が、前記カバー内面から屈曲されるとともに非対称的に形成され、当該前面は、前記ヒンジストリップ側（２２３）において、前記ヒンジストリップ（３）から遠い側より小さい傾斜を有する、
請求項２乃至４の一項に記載の卵パック。
【請求項８】
前記係止手段（２２）はセンタリング・リング（２２０）であり、その内部に前記開口中空スタブ（１０２）の前記スタブ開口縁部（１０２０）の外周が係合する、
請求項１に記載の卵パック。
【請求項９】
前記係止手段（２２）はセンタリング・リング（２２０）であり、その内部に前記開口中空スタブ（１０２）の前記スタブ開口縁部（１０２０）の外周が係合し、前記センタリング・ウェブ（２２１０）又は前記センタリング・クロス（２２２）は前記センタリング・リング（２２０）の内側で延びる、
請求項２乃至７の一項に記載の卵パック。
【請求項１０】
ホルダ保持リング（１００）が各卵ホルダ（１０）に形成され、卵保持クラウン（２３）が前記カバーの前記閉鎖姿勢において前記カバー内面の対向する位置に形成され、前記卵保持クラウンは、前記カバー内面（２１）から前記カバー平面（Ｄ）の方向に突出する、
請求項１乃至９の一項に記載の卵パック。
【請求項１１】
前記ホルダ保持リング（１００）及び前記卵保持クラウン（２３）の壁は、材料の節約を目的として変化する壁高さを有する波形状に構成される、
請求項１０に記載の卵パック。
【請求項１２】
前記中空スタブ（１０２）は、前記スタブ開口縁部（１０２０）の方向における前記下部平面（Ｕ）からのコースにおいてテーパするように構成される、
請求項１乃至１１の一項に記載の卵パック。
【発明の詳細な説明】
【技術分野】
【０００１】
本発明は、プラスチック射出成形により製造された一体型の卵パックを記載する。卵パックは、内部に複数の卵ホルダを有する下部と、ヒンジストリップを介して一体的に装着されたカバーであって、少なくとも部分的に平坦なカバー壁を有するカバーとを備える。カバーは、ヒンジストリップによって下部を覆うように折り曲げ可能であるように構成される。下部に対するカバーの解放可能な閉鎖状態が、カバー締結手段の下部締結手段内への係合と、カバー縁部に係合する下部縁部とによって達成可能である。
【背景技術】
【０００２】
卵パック、又は卵ボックス、又は卵容器が長期に亘って公知であり、種々の多くの卵ホルダを有して市販されている。卵パックの製造には、以前はパルプや古紙から構成される再生可能な原材料が主に使用されていたが、今日ではプラスチックが広く使用されている。衛生上、及び場合により法律上の理由から、卵パックを再利用することは禁止されている場合がある。
【０００３】
最近では、卵パックは、プラスチック射出成形によって製造されることが多くなっている。この場合、可能な限り、下部とヒンジストリップにより接続されたカバーとを有する一体型の卵パックが射出成形される。複数の卵ホルダが、卵が格納され得るカップ又は中空形状の凹部として下部に形成される。本例において、下部の内部と卵ホルダは、卵が互いに接触することなく中空形状の卵ホルダに位置するような形状とされる。カバーは、枢動によって下部に対して閉鎖状態とされ得る。この時、卵は、カバーによって下部の内部で部分的に固定された状態で保持される。通常、下部に配置された下部締結手段に作動可能に接続可能であるカバー締結手段がカバーに配置される。安定のために、カバーの周縁部と下部の周縁部は、これらの縁部が閉鎖状態において安定した接続をなすような形状とされる。
【０００４】
資源を節約しつつ可能な限り有利に製造するように、卵パックは可能な最薄の壁を有するように射出成形により製造されるが、卵パックの寸法的安定性は悪化する。薄壁プラスチック材料から構成される寸法的に安定した卵パックがＣＨ７０５７７０号に開示されている。本文献に記載される構造は、可能な限り最適化された射出成形プロセスに適合するものであり、これに応じて高価で複雑である。本件では、卵ホルダが下部及びカバーに配置されるため、また補強リブの配置等の手段により、寸法的安定性及びねじり剛性は増加され得る。
【０００５】
このような卵パックは、安定性を増加させる手段を理由として製造がますます複雑なものとなっているが、使い易さはよくなっていない。ユーザが卵パック、すなわち個々の卵ホルダに卵を充填した場合、カバーを簡単にヒンジストリップによって下部を覆うように折り曲げることができないことが多い。これにより、卵ホルダがカバー及び下部に配置されている場合、個々の卵ホルダが互いに対して傾き得る。こうして、カバーを下部を覆うように簡単に折り曲げることができないか、又は下部に対して斜めになり得る。ヒンジストリップも可能な限り薄い壁を有するべきであるため、閉鎖状態に向けた折り曲げ動作の案内が困難となる。全ての卵ホルダが卵で充填されている場合、折り曲げは更に単純化される。なぜならば、卵ホルダ内の卵の表面によって、カバーが下部を覆うように折り曲がるように支持的な態様で案内されセンタリングされるからである。プラスチック射出成形により製造された最軽量の一体型卵パックであって、寸法的に十分に安定しているとともにカバーの閉鎖が簡単な卵パックのジレンマは、これまでのところ解決されていない。卵パックがいったん閉鎖されても、薄壁を有する性質のために、カバーが下部に対して不所望な量だけ移動してしまうことをなくすことが不可能であった。
【発明の概要】
【０００６】
本発明の目的は、可能な限り薄い壁を有する単純な構成の卵パックであって、そのカバーが下部の上に再現可能な態様で簡単に折り曲げられ得るとともに、卵パックが完全に充填されていなくてもそのようにすることができる卵パックを提供することである。
【０００７】
卵パックの充填状態とは無関係に、誰もが閉鎖中にカバーを閉める部分的にガイドされた特別な折り曲げ封鎖をできるようにすべきである。閉鎖の安定性にもかかわらず、射出成形を利用した卵パックの製造は、可能な限り材料を節約するものであらねばならず、且つ卵パックは一体型でなくてはならない。
【０００８】
これらの目的は、カバーの部分的に案内された折り曲げ封鎖が達成される、請求項１による卵パックにより満足される。
【０００９】
更なる有利な実施形態が、従属請求項に見出される。従属請求項において、係止手段の異なる形状が可能であり、また、卵の安定した収納のために、ホルダ保持リングが卵ホルダに配設され、卵保持クラウンがカバー内面に配設される。したがって、輸送中のバネ負荷による穏やかな載置保持が実現される。
【００１０】
本発明の主題に関する好ましい例示的な形態が、添付の図面と関係して後に説明される。
【図面の簡単な説明】
【００１１】
【図１】展開状態にある卵パックの斜視図。
【図２】閉鎖姿勢にある卵パックの断面図であって、中空スタブと係止手段とが作動可能に接続している図。
【図３】係止手段に作動可能に接続した中空タブの詳細な断面図。
【図４ａ】センタリング・リングの形状にある係止手段を有するカバーの内面の詳細な斜視図。
【図４ｂ】異なる態様で構成されたセンタリング・クロスの形状にある係止手段を有するカバーの内面の詳細な斜視図。
【図４ｃ】異なる態様で構成されたセンタリング・ウェブの形状にある係止手段を有するカバーの内面の詳細な斜視図。
【発明を実施するための形態】
【００１２】
プラスチック射出成形により製造された卵パック０が開示される。この卵パックは、一体型に構成されるとともに、下部１と、カバー２と、ヒンジストリップ３とを備える。卵パック０は、好適にはポリプロピレンが使用されるプラスチック射出成形プロセスにおいて製造される。パック重量を抑えるとともに製造コストを最小とするように、卵パック０は、可能な限り薄い壁を有するものとして構成される。
【００１３】
下部１は、複数の卵ホルダ１０、本例において１２個の卵ホルダ１０を備える。卵ホルダ１０は、カップ又は中空形状とされ、その内部に複数の卵が対応して収容され得る。下部１は、内部Ｉを形成するとともに、下部平面Ｕを画成する周方向下部縁部１１を有する。下部平面Ｕは、点線によって表示された平面によって特徴付けられる。卵を卵ホルダ１０に配置すると、卵の一部が中空形状の卵ホルダ１０に下部平面Ｕの下方において載置されるとともに、卵の他の部分が下部平面Ｕを超えて突出する。下部縁部１１の途中に、下部締結手段１２が成形される。本例において、下部締結手段１２は、カバーのカバー締結手段２４に作動可能に接続され得る。本例において、下部締結手段１２は凹部の形状を有し、この凹部に舌の形状にあるカバー締結手段２４が係合可能である。この結果、カバー２が、係止可能な態様において、下部１に閉鎖姿勢で保持され得る。
【００１４】
隣接する卵ホルダ１０の間に、ホルダ接続ウェブ１０１が成形される。ホルダ接続ウェブ１０１は、おおよそ下部平面Ｕで延びるとともに、卵ホルダ１０同士を離間させるように使用される。少なくとも１つの中空スタブ１０２が下部１に配設される。中空スタブ１０２は、卵ホルダ１０の単数又は複数の底面及び下部平面Ｕから、内部Ｉに向かって、この下部から離れるように突出する。本例において、隣接する卵ホルダ１０の間に、合計５個の中空スタブ１０２が成形されている。中空スタブ１０２は、下部平面Ｕの高さ付近から延在して、卵ホルダ１０から円錐状にテーパしている。中空スタブ１０２の壁厚も、可能な限り薄く構成される。下部１から離間した中空スタブ１０２の端部における中空スタブ１０２の末端は、スタブ開口縁部１０２０によって形成される。中空スタブ１０２は開口するように構成され、中空スタブ１０２の内部へのアクセス、又は下部１の外側へのアクセスが、スタブ開口縁部１０２０を介して存在する。中空スタブ１０２は、下部１の中央ラインに沿って成形され、それらのスタブ開口縁部１０２とともに卵ホルダ１０又は下部平面Ｕから離れる方向を向く。当然ながら、卵ホルダ１０、ホルダ接続ウェブ１０１、及び中空スタブ１０２の壁は、挿入されるべき卵が互いに距離を置いて収納され得るように湾曲して構成されるべきである。
【００１５】
例えばフィルムヒンジであるヒンジストリップ３、及び間接的にカバー２は、一体型に製造された下部１に成形される。フィルムヒンジ３及びカバー２の壁厚も、可能な限り小さく設計される。
【００１６】
カバー２は、少なくとも部分的に平面的なカバー壁であって、カバー２の湾曲縁領域に通じるカバー壁を備える。係合凹部２９を有するカバー縁部２５が、本例では周方向に成形される。カバー平面Ｄはカバー縁部２５の高さにおいて広がり、点線で示されている。カバー縁部２５は、カバー２の閉鎖姿勢において下部縁部１１と協働する。したがって、カバー２は、旋回軸を中心として、下部１上で延びるヒンジストリップ３の内側に旋回可能である。枢動の範囲が矢印によって示されている。カバー縁部２５には、対応する下部締結手段１２と協働するカバー締結手段２４が成形される。カバー縁部２５には、開放タブ２６も成形される。開放タブ２６は、カバー縁部２５を超えて、したがってカバー２の閉鎖姿勢において下部縁部１１も超えて突出する。これにより、ユーザはより容易に卵パック０を開放することができる。
【００１７】
カバー２は、係止手段２２が配設されるカバー内面２１を有する。当該手段は、カバー内面２１からカバー平面Ｄの方向に突出する。本例では、カバー内面２１は平面状であるように設計される。係止手段２２は、カバー２が閉鎖姿勢になるように折り曲げられたとき、中空スタブ１０２、又はそれらのスタブ開口縁部１０２０が係止手段２２と作動可能に接続され得るように配置される。本例において、係止手段２２は、カバー内面２１に沿った中央ラインに沿って配置されている。
【００１８】
同様に、平面状のカバー内面７に沿って、カバー内面２１からカバー平面Ｄの方向に突出する卵保持クラウン２３が配設される。これらの卵保持クラウン２３は環状壁を有する。その壁高さは波形状に変化する。これらの卵保持クラウン２３も成形され、環状壁は可能な限り薄く設計される。
【００１９】
薄い壁を有するカバー２の安定性を向上させるように、本例において安定化リブ２７がカバー内面２１に成形される。これらのリブは、湾曲したカバー領域において平面状のカバー内面２１に部分的に延びる。カバー２、すなわち卵パック０の長手方向に沿って、安定化リブ２７は係止手段２２の高さに、したがって、スタブ開口縁部１０２０の高さに配設される。
【００２０】
図２において、カバー２は、ヒンジストリップ３によって、カバー２が下部１を閉鎖する閉鎖姿勢に折り曲げられている。下部１の内部Ｉにおいて、卵は卵ホルダ１０に配置されて下部平面Ｕ及びカバー平面Ｄを通過して突出する。好適には、ホルダ保持リング１００が、下部平面Ｕの下方において各卵ホルダ１０の底部に配設される。卵が卵ホルダ１０に挿入されると、卵はホルダ保持リング１００上に、又は卵ホルダ１０の底壁から距離を置いたホルダ保持リング１００の壁に載置される。プラスチック材料であるため、ホルダ保持リング１００は、卵のバネの効いた載置保持を保証する。好適には、ホルダ保持リング１００の壁は、変化する壁高さを有する波形状に構成され、これにより、製造において材料が節約される。
【００２１】
カバー２が閉鎖姿勢にされると、卵保持クラウン２３は卵ホルダ１０の上方に位置するようになり、これにより卵の頂部が部分的に卵保持クラウン２３の内部に入り込む。
【００２２】
卵ホルダ１０の充填状態と無関係に、カバー２が下部１の上に再現可能な態様で簡単に折り曲げることができるように、下部１の中空スタブ１０２が、カバー内面２１の係止手段２２に係合する。少なくとも１つのセンタリング・リング２２０が係止手段２２として設けられ、その環状壁はカバー内面２１から突出する。スタブ開口縁部１０２０がセンタリング・リング２２０の内径に入った状態で、中空スタブ１０２の先端が係合する。図３において、これをより詳細に拡大して示す。中空スタブ１０２の先端はセンタリング・リング２２０に係合し、スタブ開口縁部１０２０はカバー内面２１まで突出し得る。このようにして、カバー２の閉鎖姿勢において、中空スタブ１０２の安定した装着が実現される。複数の中空スタブ１０２及び係止手段２２が、下部１と複数の卵ホルダ１０を有する下部１におけるカバー２とに沿って成形されるので、安定した閉鎖が可能とされる。
【００２３】
好適には、センタリング・リング２２０の他に、係止手段２２は、カバー内面２１から突出するウェブ壁を備える少なくとも１つのセンタリング・ウェブ２２１を有する。
【００２４】
特に好適には、複数のセンタリング・ウェブ２２１、２２１’を備えるセンタリング・クロス２２２が、係止手段２２として選択される。このような設計により、スタブ開口縁部１０２０が位置するようになるカバー内面２１の領域が更に安定する。
【００２５】
図４ａによる係止手段２２の実施形態において、カバー内面２１から突出するセンタリング・クロス２２２がセンタリング・リング２２０の内部に成形され、センタリング・リング２２０の方向を向く側縁部が面取りされている。この面取りにより、中空スタブ１０２の先端、すなわちスタブ開口縁部１０２０は、このスタブ開口縁部１０２０がセンタリング・ウェブ２２１、２２１’の側縁部とセンタリング・リング２２０の環状壁との間に案内されるように設計される。図４ａによる変形例において、卵パックの長手方向に対して横方向に配設されたセンタリング・ウェブ２２１の前面が、同様にカバー内面２１に対して平行に平坦に延びるように構成される。図４ｂによる変形例において、卵パックの長手方向に対して横方向に配設されたセンタリング・ウェブ２２１の前面がカバー内面から屈曲して半円を概して描くように形成される。図４ｃに示す更なる変形例において、卵パックの長手方向に対して横方向に配設されたセンタリング・ウェブ２２１の前面は、カバー内面から非対称的に屈曲した態様で形成され得る。卵パックの閉鎖に際して中空スタブ１０２へのより良好な案内を得るように、この前面は、ヒンジストリップ３から遠い側より小さい傾斜を有している。図４ａ乃至４ｃからの変形例は、スタブ開口縁部１０２０の引っ掛かりが防止され得るという利点を示す。
【００２６】
図示のように、カバー壁を貫通する通気孔２８が設けられ得る。しかしながら、これらの孔がカバー２の安定性に更に影響を与えることはない。
【００２７】
卵パック０、又は下部１の卵ホルダ１０に卵が充填された場合、カバー２は簡単に折り曲げられて閉鎖され得る。中空スタブ１０２０の先端、すなわちスタブ開口縁部１０２０は、係止手段２２によって作動可能に接続案内され得る。スタブ開口縁部１０２０は、センタリング・リング２２０に導入される。少なくとも１つのセンタリング・ウェブ２２１又はセンタリング・クロス２２２によって、中空スタブ１０２の壁はカバー内面２１まで案内されるとともに、スタブ開口縁部１０２０の外周がセンタリング・リング２２０の内周に係合する。これにより、中空スタブ１０２の局所的な固定が達成され得る。
【符号の説明】
【００２８】
０  卵パック（一体型、射出成形）
１  下部壁を有する下部
１０  外縁部
１００  ホルダ保持リング
１０１  ホルダ接続ウェブ
１０２  中空スタブ
１０２０  スタブ開口縁部
１１  外縁部（周縁部）
１２  下部締結手段
Ｕ  下部平面
Ｉ  内部
２  カバー
平面状のカバー壁
２１  カバー内面
２２  係止手段
２２０  センタリング・リング
２２１  センタリング・ウェブ
２２２  センタリング・クロス
２２３  前面（ヒンジストリップ側）
２３  卵保持クラウン
２４  カバー締結手段（係合タブ）
２５  カバー縁部（周縁部）
２６  開放タブ
２７  安定化リブ（スタブの高さで）（図示せず）
２８  通気孔
２９  係合凹部
Ｄ  カバー平面
３  ヒンジストリップ
【図１】
2019527168.tif 000003
【図２】
2019527168.tif 000004
【図３】
2019527168.tif 000005
【図４ａ】
2019527168.tif 000006
【図４ｂ】
2019527168.tif 000007
【図４ｃ】
2019527168.tif 000008
【国際調査報告】
2019527168.tif 000009
2019527168.tif 000010
2019527168.tif 000011
2019527168.tif 000012